(57)【要約】  外部から入力される電気信号によりモーターが駆動することによってハブを拘束できる鍵部材を制御し、モーター部分が火災等によって消失した場合に鍵部材が自動的にロック解除されるように構成された彫り込みロックアセンブリーのハブ鍵装置が開示されている。取っ手に連結された回転リングとともに回転するハブを有し、前記ハブの回転によってラッチボルトをドアフレームから後退させロック解除されることによってドアを開ける彫り込みロックアセンブリーにおいて、一端が前記ハブの溝に挿入された時にハブが回転することを防止し、溝から該一端が外れる時にはハブの回転を許容する鍵部材と、前記鍵部材に協働して前記鍵部材が旋回するようにする鍵部材のピボット部材と、前記鍵部材の一端がハブの溝から離脱してハブが自由に回転できる状態になるように、その重量を利用して鍵部材を回転させる重量体とを有する。火災などの非常事態の場合には人々が容易に避難できるようにロック状態が解除される。
2009504942.tif 000002
【特許請求の範囲】
【請求項１】
取っ手に連結された回転リングとともに回転するハブを有し、前記ハブの回転によってラッチボルトをドアフレームから後退させロック解除されることによってドアを開ける彫り込みロックアセンブリーにおいて、
一端が前記ハブの溝に挿入された時にハブが回転することを防止し、溝から該一端が外れる時にはハブの回転を許容する鍵部材と、
前記鍵部材に協働して前記鍵部材が旋回するようにする鍵部材のピボット部材と、
前記鍵部材の一端がハブの溝から離脱してハブが自由に回転できる状態になるように、その重量を利用して鍵部材を回転させる重量体とを有することを特徴とする彫り込みロックアセンブリーのハブ鍵装置。
【請求項２】
前記重量体はネジの形態からなり、前記鍵部材に形成された穴に締結されることを特徴とする請求項１記載の彫り込みロックアセンブリーのハブ鍵装置。
【発明の詳細な説明】
【技術分野】
【０００１】
本発明は彫り込みロックアセンブリーのハブ鍵装置に関するもので、特に、外部から入力される電気信号によってモーターを駆動することによって、ハブを拘束する鍵部材を制御し、モーター部分が火災等によって消失した場合に鍵部材が自動的に解除される彫り込みロックアセンブリーのハブ鍵装置に関するものである。
【背景技術】
【０００２】
彫り込みロックアセンブリーは、手で回転フックまたは取っ手を回してラッチボルトをドアフレームのロック溝から外れるようにするドア鍵装置の一つの種類であり、耐久性に優れた構造を持つ製品であることは一般的に知られている。従って、彫り込みロックアセンブリーは玄関または事務室等の金属材のフレームを持つドアに多く設置される。
【０００３】
係る彫り込みロックアセンブリーの一つの例は、本発明の発明者が発明して１９９９年５月１４日に出願した韓国特許出願第１０−１９９９-００１７３９９号に記載されている。前記従来の彫り込みロックアセンブリーは、デッドボルトを使わなくてもロックが確実にできるようにラッチボルトがドアフレームの溝に深く入る構造を提示している。
【０００４】
一方、従来の彫り込みロックアセンブリーには、より改良されてハブがロックできるように構成された物も開発されている。係る彫り込みロックアセンブリーでは、鍵部材のフックがハブの溝にはめ込まれるとハブがロック状態になり、鍵部材のフックがハブの溝から抜け出るとハブのロック状態が解除されるように構成されている。係る鍵部材は一側にプレートが固定され、該プレートの末端がモーターのスクリューに嵌るように設置されており、モーターの動作によって鍵部材が回転軸を中心として回転して、鍵部材のフックがハブの溝にはめ込まれたり、溝から抜け出るように動作する。
【０００５】
係る彫り込みロックアセンブリーは普通、火災感知装置と連結されており、火災が発生するとセンサーの動作によって信号が受信され、鍵部材のフックがハブの溝から抜け出るようにモーターが動作する。しかし、火災の時にモーターとスクリューが消失すると、鍵部材がハブをロックするように回転する恐れがあり、屋内の人々が迅速に避難できないこともある。
【発明の開示】
【発明が解決しようとする課題】
【０００６】
本発明は前記従来技術の問題点を解決するために案出されたものであり、ハブ鍵装置の鍵部材に掛かるスクリューが火災等が発生して消失したり、何かの理由で動作できなくなった場合に鍵部材が解除されるように構成される彫り込みロックアセンブリーのハブ鍵装置を提供することを目的とする。
【課題を解決するための手段】
【０００７】
本発明による彫り込みロックアセンブリーのハブ鍵装置は、取っ手に連結された回転リングとともに回転するハブを有し、前記ハブの回転によってラッチボルトをドアフレームから後退させロック解除されることによってドアを開ける彫り込みロックアセンブリーにおいて、一端が前記ハブの溝に挿入された時にハブが回転することを防止し、溝から該一端が外れる時にはハブの回転を許容する鍵部材と、前記鍵部材に協働して前記鍵部材が旋回するようにする鍵部材のピボット部材と、前記鍵部材の一端がハブの溝から離脱してハブが自由に回転できる状態になるように、その重量を利用して鍵部材を回転させる重量体とを有することを特徴とする。
ここで、前記重量体はネジの形態からなり、前記鍵部材に形成された穴に締結されることを特徴とする。
【発明の効果】
【０００８】
このように、本発明による彫り込みロックアセンブリーのハブ鍵装置は、鍵部材に重量体を着脱式に設置して、火災等の非常の時にロック状態が解除されるようにしたので、容易に避難に対応できるという効果を奏する。
【発明を実施するための最良の形態】
【０００９】
以下に、本発明の実施例を図面を参考にして詳述する。
図１は本発明による彫り込みロックアセンブリーの斜視図であり、図２は本発明による彫り込みロックアセンブリーの分解斜視図であり、図３は本発明による彫り込みロックアセンブリーのハブがロックされた状態の正面図であり、図４は本発明による彫り込みロックアセンブリーのハブがロック解除された状態の正面図であり、図５は本発明による彫り込みロックアセンブリーのハブが動作してラッチボルトが後退した状態の正面図であり、図６は彫り込みロックアセンブリーが設置される位置によってドアの内外を自由に替える動作の状態を表す図面であり、図７は本発明による彫り込みロックアセンブリーの鍵部材の斜視図である。
【００１０】
図１は本発明による彫り込みロックアセンブリーのカバー１４が除去された状態のケース１２の内部を表す。図１に示すように、従来の彫り込みロックアセンブリーと同様にハブ５２が回転すると回転リング４６が設置されたピボット部材４４が回転し、ピボット部材４４の一端を押して駆動部材４２が回転しながらラッチボルト２２を直線方向に後退させる。図１と図２には図面の複雑さを避けるために二つのハブ５２のうち前の方に設置されるハブが省略されているが、ハブ５２は図３乃至図５の正面図に分かり易く図示されている。ハブ５２の溝１にはドア取っ手が挟まれるようになっているので、ドア取っ手を回転させればハブ５２が力を受ける方に回転する。ハブの二つの翼５２１、５２３の間に回転リング４６が位置し、勿論、ドア取っ手が挿入される溝１を中心として回転するが、従来と違う点は上部にヘッド５２５が形成され、該ヘッド５２５に切り取られた部分である掛かり溝５２５ａが形成されていることである。ハブ５２の両翼５２１、５２３の間には回転リング４６が位置し、回転リング４６はピボット部材４４の回転軸４４'に設置されたスプリング４４４の弾性力によって上方に力を受ける状態である。従って、回転リング４６は該弾性力によって翼５２１及び翼５２３の間に位置し、弾性力を克服する回転力がハブ５２に与えられると翼５２１、５２３に押さえられてピボット部材４４と共に下がる。図５に回転リング４６が力を受けて下がった状態を表す。
【００１１】
ピボット部材４４が下降すると、ピボット部材４４の回転軸４４'の反対側の末端は回転軸４４'を中心として回転、下降しながらブッシング４２３を押す。ブッシング４２３が押さえられると、駆動部材４２が該回転軸４２'を中心として一定の角度で回転し、これによってラッチボルト２２の溝２２７に挿入された駆動部材４２の部分が回転しラッチボルト２２を押し後退させる。その結果、ラッチボルト２２はドアフレームの溝から解除されてドアが開けられる状態になる。ラッチボルト２２の後方にはシャフト２４がシャフト支持板２６に掛かるように組み立てられ、該シャフト２４にスプリング２８が設置されてラッチボルト２２を外側に押す力を提供する。
【００１２】
ラッチボルト２２の下部にはラッチボルト２２と共に正面プレート１６を貫通して前後進移動するトリガーボルト３２が設置されており、トリガーボルト３２はスプリング１３１の力によって前方に力を受ける。また、該トリガーボルト３２の上部にはラッチボルトの後退防止部材３４が設置される。
直角のＬ字状に形成された駆動部材４２は回転軸４２'を中心として回転し、駆動部材４２の一端はラッチボルト２２のボディー部２２１の溝２２７に挟まれラッチボルト２２を引っ張り、駆動部材４２の他端はピボット部材４４に押さえられて回転する。
ピボット部材４４の前側及び後側に設置される回転リング４６は、２つのハブ５２に各々対応する。ハブ５２が二つ設置されるのは、ドアの前後にそれぞれドアの取っ手が設置されるからである。
【００１３】
各ハブ５２には上述したようにヘッド５２５が形成されており、該ヘッド５２５には溝５２５ａが形成され、またロック手段６０である鍵部材６１には前記ハブ５２の溝５２５ａにはめ込まれるように一端にフック６１ａが形成されている。フック６１ａは、回転軸６０'に対して回転できるように前記アセンブリーに組み立てられ、前記鍵部材６１には薄い板状の制御プレート６２が設置される。かかる制御プレート６２は、モーター７０の回転軸に設置されたスクリュー８０に掛かるように構成されており、モーター７０の回転によってスクリュー８０に沿って上下に移動しながら、鍵部材６１のフック６１ａがハブ５２の溝５２５ａに拘束されたり、溝５２５ａから解除されるようにする。モーター７０は外部から電源が供給され、外部の電気信号によって動作する。モーター７０に電気的な信号を入力するものとしては電子カギ、スマートカード等がある。
【００１４】
スクリュー８０の上端部、下端部には、制御プレート６２が前記スクリュー８０から外れないよう電気を通す材質からなるストッパー８１が設置される。ストッパー８１は、スクリュー８０が動作して電気を通す材質からなる制御プレート６２が閉じられると、スイッチの役割をして回路を通じてモーター７０の駆動を中止させるように動作する。
【００１５】
例えば、電子カギを使う時には、回路からの電気的な信号がモーター７０に与えられてモーター７０が駆動する。モーター７０が駆動するにつれて回転力が発生すると、制御プレート６２がスクリュー８０に沿って上方に移動して、鍵部材６１のフック６１ａがハブ５２の溝５２５ａから外れてドアを開けることができる。反対の場合には、フック６１ａが溝５２５ａに挟まれてハブ５２が回転できないので、ドアを開けることができない。勿論、制御プレート６２がストッパー８１に当たるとモーター７０が止まって動作が終了する。
【００１６】
図６は鍵部材６１の移動によって自由にドアの内外を替えることができる動作を表す正面図である。図６について述べると、鍵部材６１が回転軸６０'の軸方向に沿って、図６を基準として左右に移動してドアの内外を替える。二つのハブ５２の間の距離が鍵部材６１の広さより広く形成され、鍵部材６１は二つのハブ５２のうち一つのハブだけに掛かるようになっている。また、鍵部材６１が回転軸６０'の軸方向に沿って移動するので、図６の上の図に示すように鍵部材６１が右側の方に移動した時には、右側が外側になり、図６の下の図に示すように鍵部材６１が左側の方に移動した時には、左側が外側になる。
【００１７】
図７について述べると、回転軸６０'を中心としてフック６１ａの反対側６３に重量体６４を設置して、火災等が発生してスクリュー８０が消失する非常の時に、図４に示すように鍵部材６１がハブ５２から解除される。この場合、プレートに力が掛からなくなったときに、重量体６４の重さによってフック６１ａが上げられる。即ち、鍵部材６１にはネジ穴６３ａを形成し、該穴にネジ形態の重量体６４が挟まれている。
【００１８】
一方、このように重量体６４をネジの形態にして容易にねじ穴から着脱できるようにしたのは、彫り込みロックアセンブリーが反対の方向に設置された場合には上下が完全に変わるので、その時は重量体６４を除去した状態で彫り込みロックアセンブリーを設置するためである。勿論、この場合にもフック６１ａが自由な状態になれば、フック６１ａの方が重くなってハブ５２からフック６１ａが外されてロック解除の状態になる。
符号９０は鍵部材を非常の時に強制的に解除するためのカムを表す。
【産業上の利用可能性】
【００１９】
本発明の彫り込みロックアセンブリーのハブ鍵装置は、ドア用の彫り込みロック装置として有効に使用される。
【図面の簡単な説明】
【００２０】
【図１】本発明による彫り込みロックアセンブリーの斜視図である。
【図２】本発明による彫り込みロックアセンブリーの分解斜視図である。
【図３】本発明による彫り込みロックアセンブリーのハブがロックされた状態の正面図である。
【図４】本発明による彫り込みロックアセンブリーのハブがロック解除された状態の正面図である。
【図５】本発明による彫り込みロックアセンブリーのハブが動作してラッチボルトが後退した状態の正面図である。
【図６】彫り込みロックアセンブリーが設置される位置によってドアの内外を自由に替えることができる動作の状態を表す図面である。
【図７】本発明による彫り込みロックアセンブリーの鍵部材の斜視図である。
【図１】
2009504942.tif 000003
【図２】
2009504942.tif 000004
【図３】
2009504942.tif 000005
【図４】
2009504942.tif 000006
【図５】
2009504942.tif 000007
【図６】
2009504942.tif 000008
【図７】
2009504942.tif 000009
【国際調査報告】
2009504942.tif 000010
2009504942.tif 000011